(57)【要約】      （修正有）【課題】送風ダクトの長さを短縮できると共に、送風の到達距離を長くすることができ、而も送風の方向を自由に調整することができるルーフファンを提供する。【解決手段】ボディ２内にブラケット３を介してモータ４で回転する送風ファン５を配設すると共に、ボディの送風開口に送風ダクト７を連設してなるルーフファン１であり、送風ダクトを、その吹き出し口７′側の開口面積が徐々に縮小するような形状とする。更に、送風ダクト７の吹き出し口に、夫々のルーバー８′、８′、８′・・・、９′、９′、９′・・・が直交するようにして、内外方向に重合する一対の電動ルーバー８、９を取り付ける。【選択図】図１
0003216421.tif 000002
【実用新案登録請求の範囲】
【請求項１】
ボディ内にブラケットを介してモータで回転する送風ファンを配設すると共に、前記ボディの送風開口に送風ダクトを連設してなるルーフファンにおいて、前記送風ダクトを、その吹き出し口側の開口面積が徐々に縮小するような形状となすと共に、前記送風ダクトの吹き出し口に、夫々のルーバーが直交するようにして、内外方向に重合する一対の電動ルーバーを取り付けてなることを特徴とするルーフファン。
【考案の詳細な説明】
【技術分野】
【０００１】
本考案は、工場等の建物の屋根に設置し、内部に外気を供給するルーフファンに関するものである。
【背景技術】
【０００２】
工場等の建物の屋根には、外気を吸い込み、建物の内部にこれを供給するルーフファンが設置されている。そして、斯かるルーフファンは、一般的に屋根に架台を介して固定されたボディ内にブラケットを介してモータで回転する送風ファンを配設すると共に、ボディの送風開口に送風ダクトを連設してなるものである。
【０００３】
ところで、斯かる一般的な従来のルーフファンにあっては、その送風ダクトがストレートで、吸い込み口から吹き出し口までが同一の面積であることから、送風の流速が上がらず、よって送風の到達距離が短く、建物内の遠方にまで送風するためには該ダクトを相当な長さにせざるを得ない。
【０００４】
しかし、工場等の建物内には、その天井の部分に移動クレーン等が配設されていることが多く、その場合においては該移動クレーン等の移動の邪魔にならないようにするために長さを制限せざるを得ない。そして、長さを制限すると、送風の到達距離が短くなって効率が低下するという問題点がある。
【０００５】
また、従来の送風ダクトは、その吹き出し口に風向調整手段が備えられていないから、送風の向きを調整することができず、送風は送風ダクトの中心軸線に沿って真下に吹き出すのみである。
【０００６】
したがって、吹き出された風が当たる部分以外の周囲には充分な送風ができず、作業上等の都合で実際に送風が必要な部分に充分な送風を行うことができなかった。
【考案の概要】
【考案が解決しようとする課題】
【０００７】
本考案は上記の点に鑑みなされたものであって、送風ダクトを、吹き出し口側の開口面積が徐々に縮小するような形状となして流速が高まるようになし、よって従来より短くしても従来以上の送風の到達距離を得ることができ、もって天井に配設された移動クレーン等の邪魔にならないように設置することができ、然も充分な送風を行うことができると共に、吹き出し口に風向調整手段として一対の電動ルーバーを取り付けることにより、送風の向きを所望の方向に自由に設定することができるようになし、もって作業上等の都合で実際に送風が必要な部分に充分な送風を行うことができるようにしたルーフファンを提供しようとするものである。
【課題を解決するための手段】
【０００８】
而して、本考案の要旨とするところは、ボディ内にブラケットを介してモータで回転する送風ファンを配設すると共に、前記ボディの送風開口に送風ダクトを連設してなるルーフファンにおいて、前記送風ダクトを、その吹き出し口側の開口面積が徐々に縮小するような形状となすと共に、前記送風ダクトの吹き出し口に、夫々のルーバーが直交するようにして、内外方向に重合する一対の電動ルーバーを取り付けてなることを特徴とするルーフファンにある。
【考案の効果】
【０００９】
本考案は上記の如き構成であり、送風ダクトを吹き出し口側の開口面積が徐々に縮小するような形状となして流速が高まるようになしたものである。よって従来より短くしても従来以上の送風の到達距離を得ることができ、もって天井に配設された移動クレーン等の邪魔にならないように設置することができ、然も充分な送風を行うことができるものである。
【００１０】
更にまた、吹き出し口に風向調整手段として一対の電動ルーバーを取り付けることにより、送風の向きを所望の方向に自由に設定することができるようになしたものである。もって作業上等の都合で実際に送風が必要な部分に充分な送風を行うことができるようになるものである。
【図面の簡単な説明】
【００１１】
【図１】本考案の第１実施形態に係るルーフファンの一部切欠して示した正面図である。
【図２】同送風ダクトを省略して示した右側面図である。
【図３】同送風ダクトを省略すると共に一部切欠して示した底面図である。
【図４】同一対の電動ルーバーの一方の正面図である。
【図５】同一対の電動ルーバーの一方の部分拡大断面図である。
【図６】同一対の電動ルーバーの一方の右側面図である。
【図７】同一対の電動ルーバーの一方の平面図である。
【図８】同一対の電動ルーバーのもう一方の左側面図である。
【図９】同一対の電動ルーバーのもう一方の平面図である。
【図１０】本考案の第２実施形態に係るルーフファンの正面図である。
【図１１】同送風ダクトを省略すると共に一部切欠して示した右側面図である。
【図１２】同送風ダクトを省略すると共に一部切欠して示した平面図である。
【考案を実施するための形態】
【００１２】
以下、本考案を実施するための形態について、図面を参照して説明する。
【００１３】
図中、１は工場等の建物の屋根Ｒに架台Ｒ′を介して設置されるルーフファンである。また、該ルーフファン１は、ボディ２内にブラケット３を介してモータ４で回転する送風ファン５を配設すると共に、前記ボディ２の送風開口６に送風ダクト７を連設してなるものである。尚、本実施形態における前記ボディ２は、側面部から外気を吸入する形態である。
【００１４】
また、該ルーフファン１における前記送風ダクト７は、その吹き出し口７′側の開口面積が徐々に縮小するような形状となしている。
【００１５】
更にまた、該ルーフファン１における前記送風ダクト７の吹き出し口７′には、夫々のルーバー８′、８′、８′・・・、９′、９′、９′・・・が直交するようにして、内外方向に重合する一対の電動ルーバー８、９を取り付けている。
【００１６】
また、前記重合した一対の電動ルーバー８、９のうちの外側に位置する一方の電動ルーバー８は、下部が左右方向に拡大した枠状のボディ８Ａ内に複数のルーバー８′、８′、８′・・・を向きを揃えて平行に軸支８″し、ボディ８Ａに固定したモータ８Ｂによってこれらルーバー８′、８′、８′・・・を一斉にスイング又は所定の角度に固定するものである。
【００１７】
また、本実施形態においては、前記モータ８Ｂは、ボディ８Ａの外面に固定され、その回転軸８Ｂ′の回転力を一対のリンク８Ｃ、８Ｄを介して前記ルーバー８′、８′、８′・・・のうちの一枚に伝達し、これにより全てのルーバー８′、８′、８′・・・が一斉に同方向に所定の角度で動くようになされている。尚、８Ｅは前記リンク８Ｄに枢動自在に連結し、外端に位置する一枚のルーバー８′に固定された連結板である。８Ｆは前記ルーバー８′、８′、８′・・・の夫々に固定された連結板であり、共通する一本の連結杆８Ｇに枢動自在に連結している。
【００１８】
また、前記重合した一対の電動ルーバー８、９のうちの内側に位置するもう一方の電動ルーバー９は、枠状のボディ９Ａ内に複数のルーバー９′、９′、９′・・・を向きを揃えて平行に軸支９″し、ボディ９Ａに固定したモータ９Ｂによってこれらルーバー９′、９′、９′・・・を一斉にスイング又は所定の角度に固定するものである。
【００１９】
また、本実施形態においては、前記モータ９Ｂは、ボディ９Ａの外面に固定され、その回転軸９Ｂ′の回転力を一対のリンク９Ｃ、９Ｄを介して前記ルーバー９′、９′、９′・・・のうちの一枚に伝達し、これにより全てのルーバー９′、９′、９′・・・が一斉に同方向に所定の角度で動くようになされている。尚、９Ｅは前記リンク９Ｄに枢動自在連結にし、外端に位置する一枚のルーバー９′に固定された連結板である。９Ｆは前記ルーバー９′、９′、９′・・・の夫々に固定された連結板であり、共通する一本の連結杆９Ｇに枢動自在に連結している。
【００２０】
次に、上記実施形態の作用について説明する。
ルーファン１における送風ダクト７は、その吹き出し口７′側の開口面積が徐々に縮小するような形状としてなるものであり、放出口を絞る形状としてなるものであるから、これの内部における空気の流速を高めることができるものである。よって従来より短くしても従来以上の送風の到達距離を得ることができるものである。もって、天井に配設された移動クレーン等の邪魔にならないように設置することができ、然も充分な送風を行うことできるものである。
【００２１】
また、吹き出し口７′に風向調整手段として一対の電動ルーバー８、９を取り付けてなるものであるから、送風の向きを所望の方向に自由に設定することができるものである。例えば、工場等の建物内に広く送風を行うようにしたい場合には、内外二重の一対の電動ルーバー８、９を、同時に作動させて夫々のルーバーをスイングさせることにより行うものであり、前後、左右方向に広角に送風することができるものである。また、前後方向又は左右方向のいずれかに送風したい場合には、一対の電動ルーバー８、９のうちのいずれか一方のみを作動させ、そのルーバーをスイングさせることにより行うものである。また、真下や前後、左右のいずれかの特定の部分に限定して送風したい場合には、一対の電動ルーバー８、９における夫々のブレード８′、９′の向きを所定の位置に固定して行うものである。もって、作業上等の都合で実際に送風が必要な部分に充分な送風を行うことができるようになるものである。
【００２２】
次に、図１０乃至図１２に示した本考案の第２実施形態について説明する。
【００２３】
本実施形態と前記第１実施形態とは、ルーフファン１におけるボディ２の形態において相違するものである。即ち、前記第１実施形態におけるボディ２は、側面部から外気を吸入する形態であるのに対して、本実施形態においては上部から外気を吸入する形態である。尚、その他の構成並びに作用は前記第１実施形態と同様であるから、同一の部材には同一の符号を付して詳細な説明は省略する。
【００２４】
而して、本実施形態においても前記第１実施形態におけると同様の効果を奏するものである。
【符号の説明】
【００２５】
１  ルーフファン
２  ボディ
３  ブラケット
４  モータ
５  送風ファン
６  送風開口
７  送風ダクト
７′  吹き出し口  
８  電動ルーバー
８′、８′、８′  ルーバー
８Ａ  ボディ
８Ｂ  モータ
９  電動ルーバー
９′、９′、９′  ルーバー
９Ａ  ボディ
９Ｂ  モータ
【図１】
0003216421.tif 000003
【図２】
0003216421.tif 000004
【図３】
0003216421.tif 000005
【図４】
0003216421.tif 000006
【図５】
0003216421.tif 000007
【図６】
0003216421.tif 000008
【図７】
0003216421.tif 000009
【図８】
0003216421.tif 000010
【図９】
0003216421.tif 000011
【図１０】
0003216421.tif 000012
【図１１】
0003216421.tif 000013
【図１２】
0003216421.tif 000014